(57)【要約】【課題】空調ユニットに対する運転条件の設定を容易化および迅速化する。【解決手段】据置型のコントローラは、タッチ入力式の表示部を有し、その表示部からの入力に応じて複数台の空調ユニットを管理する。このコントローラと携帯型の情報端末との間で無線による通信リンクを形成し、その形成に際し、情報端末の位置がコントローラの近傍であるか否かを判定する。そして、この判定結果に基づき、情報端末およびコントローラの表示内容を制御する。【選択図】図１
2015064154.tif 000002
【特許請求の範囲】
【請求項１】
タッチ入力式の表示部を有し、その表示部からの入力に応じて複数台の空調ユニットを管理する据置型のコントローラと、
携帯型の情報端末と前記コントローラとの間で無線による通信リンクを形成する第１制御手段と、
前記通信リンクの形成時、前記情報端末および前記コントローラの表示内容を前記情報端末の位置が前記コントローラの近傍であるか否かに応じて制御する第２制御手段と、
を備えることを特徴とする空調管理装置。
【請求項２】
前記第１制御手段は、前記情報端末と前記コントローラとの間でアクセスポイントを介して無線による通信リンクを形成し、
前記第２制御手段は、前記情報端末の位置が前記コントローラの近傍であるか否かを前記アクセスポイントの位置情報に基づいて判定する、
ことを特徴とする請求項１記載の空調管理装置。
【請求項３】
前記第２制御手段は、
前記情報端末の位置が前記コントローラの近傍である場合、前記各空調ユニットの全てを対象とする管理用の表示画面を前記コントローラおよび前記情報端末で表示し、
前記情報端末の位置が前記コントローラの近傍でない場合、前記各空調ユニットのうち前記情報端末の近傍の空調ユニットを対象とする管理用の表示画面を前記情報端末で表示する、
ことを特徴とする請求項１または請求項２記載の空調管理装置。
【請求項４】
前記第２制御手段は、前記情報端末の位置が前記コントローラの近傍である場合、前記各空調ユニットの全てを対象とする管理用の表示画面のうち、階層が上位と下位の関係にある２つの表示画面を、前記コントローラと前記情報端末とで分担して表示する、
ことを特徴とする請求項３記載の空調管理装置。
【発明の詳細な説明】
【技術分野】
【０００１】
本発明の実施形態は、複数台の空調ユニットを管理する空調管理装置に関する。
【背景技術】
【０００２】
企業や商業施設などの建物には、多数の空調ユニット（室内ユニット）が設置されている。個々の空調ユニットはそれぞれのリモコンによって操作されるが、一括してすべての空調ユニットを管理するためにコントローラが備えることがある。このようなコントローラは、メインフロアや管理室に据置かれ、各空調ユニットの運転/停止、設定温度、風量、運転スケジュールなどを集中的に管理することができるようになっている。
【先行技術文献】
【特許文献】
【０００３】
【特許文献１】特開２００５−２２９６１７号公報
【発明の概要】
【発明が解決しようとする課題】
【０００４】
空調ユニットの台数が多い場合、コントローラを使用して管理対象の空調ユニットを選択するだけでも複雑で時間のかかる操作となる。
【課題を解決するための手段】
【０００５】
一実施形態の空調管理装置は、据置型のコントローラ、第１制御手段、および第２制御手段を備える。コントローラは、タッチ入力式の表示部を有し、その表示部からの入力に応じて複数台の空調ユニットを管理する。第１制御手段は、携帯型の情報端末と前記コントローラとの間で無線による通信リンクを形成する。第２制御手段は、前記通信リンクの形成時、前記情報端末および／または前記コントローラの表示内容を前記情報端末の位置が前記コントローラの近傍であるか否かに応じて制御する。
【図面の簡単な説明】
【０００６】
【図１】一実施形態の全体的な構成を示す図。
【図２】一実施形態のコントローラの要部を示すブロック図。
【図３】一実施形態のタブレット端末の要部を示すブロック図。
【図４】一実施形態のコントローラにおける位置情報テーブルの内容を示す図。
【図５】一実施形態のコントローラの制御を示すフローチャート。
【図６】一実施形態のタブレット端末の制御を示すフローチャート。
【図７】一実施形態の全体表示画面を示す図。
【図８】一実施形態のフロア表示画面を示す図。
【図９】一実施形態のテナント表示画面を示す図。
【図１０】一実施形態のエリア表示画面を示す図。
【図１１】一実施形態の設定画面を示す図。
【図１２】一実施形態のスケジュール画面を示す図。
【発明を実施するための形態】
【０００７】
以下、建物に設置された空調システムを管理する空調管理装置の一実施形態について、図面を用いて説明する。図１は、企業や商業施設等の７階建ての建物の一部、およびその建物に設置された空調システムの構成を示す。
【０００８】
１階フロア１０に複数のテナント２０，３０…が配置されている。テナント２０，３０…は、エリア２１，２２…およびエリア３１，３２…をそれぞれ有する。エリア２１，２２…には空調ユニット（室内ユニット）２１ａ，２１ｂ…，２２ａ，２２ｂ…が設置され、エリア３１，３２…には空調ユニット３１ａ，３１ｂ…，３２ａ，３２ｂ…が設置されている。エリアとは、壁や棚で仕切られたスペースや部屋のことである。
【０００９】
２階フロア４０に複数のテナント５０，６０…が配置されている。テナント５０，６０…は、エリア５１，５２…およびエリア６１，６２…をそれぞれ有する。エリア５１，５２…には空調ユニット５１ａ，５１ｂ…，５２ａ，５２ｂ…が設置され、エリア６１，６２…には複数の空調ユニット６１ａ，６１ｂ…，６２ａ，６２ｂ…が設置されている。
【００１０】
７階フロア７０に管理室７１および複数のテナント８０，９０…が配置されている。テナント８０，９０…は、エリア８１，８２…およびエリア９１，９２…をそれぞれ有する。管理室７１には空調ユニット７２が設置され、エリア８１，８２…には空調ユニット８１ａ，８１ｂ…，８２ａ，８２ｂ…が設置され、エリア９１，９２…には空調ユニット９１ａ，９１ｂ…，９２ａ，９２ｂ…が設置されている。
【００１１】
管理室７１の例えば壁面に据置型のコントローラ１００が設置され、そのコントローラ１００と各フロアの空調ユニットとの間に制御用の信号線１０１が敷設される。コントローラ１００は、タッチ入力式（タッチパネル式ともいう）のカラー液晶表示部（表示・操作手段）１１３を有し、そのカラー液晶表示部１１３に対する手指のタッチ操作（入力）に応じて建物内の各空調ユニットの運転/停止、設定温度、風量などを集中的に管理する。
【００１２】
一方、１階から７階までの各フロアに少なくとも１台ずつアクセスポイント（無線中継器ともいう）ＡＰ１，ＡＰ２，…ＡＰ７が配置される。７階のフロアには、アクセスポイントＡＰ７のほかに、管理室７１用のアクセスポイントＡＰＸがさらに配置される。これらアクセスポイントＡＰ１，ＡＰ２，…ＡＰ７，ＡＰＸとコントローラ１００との間に、有線の通信ネットワークであるＬＡＮ１０２が敷設される。
【００１３】
タブレット端末２００は、タッチ入力式のカラー液晶表示部（表示・操作手段）２１３を有し、ユーザが片手で持ちながらもう片方の手指でカラー液晶表示部２１３にタッチ操作することが可能である。また、タブレット端末２００は、アクセスポイントＡＰ１，ＡＰ２，…ＡＰ７，ＡＰＸを介してコントローラ１００との無線による通信リンクを形成し、コントローラ１００との間でデータ送受信を行うことが可能である。
【００１４】
少なくともコントローラ１００、無線ＬＡＮ１０２、およびアクセスポイントＡＰ１，ＡＰ２，…ＡＰ７，ＡＰＸにより、本実施形態の空調管理装置が構成される。
【００１５】
タブレット端末２００としては、当該空調管理装置の付属品として用意される空調管理専用の端末でもよいし、ユーザが個人で所有して日常の生活で使用している汎用型の端末でもよい。タブレット型に限らずスマートフォン型の端末でもよいが、できるだけ画面が大きいことが望ましい。
【００１６】
コントローラ１００の要部を図２に示し、タブレット端末２００の要部を図３に示す。  
コントローラ１００は、ＣＰＵ１１０、ＲＯＭ１１１、ＲＡＭ（記憶手段）１１２、タッチ入力式のカラー液晶表示部１１３、通信インタフェース１１４、ネットワークインタフェース１１５を有する。
【００１７】
ＲＯＭ１１１は、オペレーティングシステム及びアプリケーションプログラム等の制御プログラムを記憶するとともに、ＣＰＵ１１０の処理に必要な各種データを記憶している。ＲＡＭ１１２は、タブレット端末２００が建物のどこに存するかを判定するため及び空調ユニットの設置位置との関係等の位置情報テーブル１１２ａを記憶するとともに、ＣＰＵ１１０の処理に必要な各種データを記憶する。通信インタフェース１１４は、信号線１０１を介して各空調ユニットとのデータ送受信を行う。ネットワークインタフェース１１５は、無線ＬＡＮ１０２およびアクセスポイントＡＰ１，ＡＰ２，…ＡＰ７，ＡＰＸを介してタブレット端末２００とのデータ送受信を行う。
【００１８】
タブレット端末２００は、ＣＰＵ２１０、ＲＯＭ２１１、ＲＡＭ（記憶手段）２１２、タッチ入力式のカラー液晶表示部２１３、送受信部２１４を有する。ＲＯＭ２１１は、オペレーティングシステム及びアプリケーションプログラム等の制御プログラムを記憶するとともに、ＣＰＵ２１０の処理に必要な各種データを記憶している。ＲＡＭ２１２は、ＣＰＵ２１０の処理に必要な各種データを記憶する。送受信部２１４は、アクセスポイントＡＰ１，ＡＰ２，…ＡＰ７，ＡＰＸおよび無線ＬＡＮ１０２を介してコントローラ１００とのとのデータ送受信を行う。
【００１９】
コントローラ１００のＲＡＭ１１２に記憶されている位置情報テーブル１１２ａは、図４に示すように、アクセスポイントＡＰ１，ＡＰ２，…ＡＰ７，ＡＰＸが建物のどこに配置されているかを表わす位置情報“フロア１Ｆ”“フロア２Ｆ”…“フロア７Ｆ”“管理室”、およびアクセスポイントＡＰ１，ＡＰ２，…ＡＰ７，ＡＰＸの近傍（同じフロア）に存する各空調ユニットの識別コードを、アクセスポイントＡＰ１，ＡＰ２，…ＡＰ７，ＡＰＸの識別コードにそれぞれ対応付けたものである。これらの識別コードは、は、例えばＩＰアドレス、ＭＡＣアドレス、ＳＳＩＤ等である。
【００２０】
すなわち、１階フロア１０のアクセスポイントＡＰ１に、アクセスポイントＡＰ１の位置情報“フロア１Ｆ”、および１階フロア１０に設置されている空調ユニット２１ａ，２１ｂ…，２２ａ，２２ｂ…，３１ａ，３１ｂ…，３２ａ，３２ｂ…の識別コードが対応付けられている。識別コードには、テナント２０，３０…のコードおよびエリア２１，２２…，３１，３２…のコードも付加される。
【００２１】
同様に、各階のアクセスポイントに、その位置情報および対象とするフロアに設置されている空調ユニットの識別コードが対応付けられている。識別コードには、そのフロア内の各テナントを識別するコードおよびエリアを識別するコードも付加される。
【００２２】
７階フロア７０のアクセスポイントＡＰ７，ＡＰＸに、アクセスポイントＡＰ７，ＡＰＸの位置情報“フロア７Ｆ”“管理室”、および７階フロア７０に設置されている空調ユニット７２，８１ａ，８１ｂ…，８２ａ，８２ｂ…，９１ａ，９１ｂ…，９２ａ，９２ｂ…の識別情報が対応付けられている。
【００２３】
コントローラ１００は、この位置情報テーブル１１２ａの参照により、アクセスポイントＡＰ１，ＡＰ２，…ＡＰ７，ＡＰＸと各空調ユニットとの位置関係をテナントおよびエリアの位置を含めて認識できる。
【００２４】
そして、コントローラ１００のＣＰＵ１１０は、主要な機能として次の（１）（２）の手段を有する。  
（１）タブレット端末２００からの要求に応じてそのタブレット端末２００と当該コントローラ１００との間でアクセスポイントＡＰ１，ＡＰ２，…ＡＰ７，ＡＰＸを介しＬＡＮ１０２を経由する通信リンクを形成する第１制御手段。
【００２５】
（２）上記通信リンクの形成時、タブレット端末２００および／またはコントローラ１００の表示内容を、タブレット端末２００の位置が当該コントローラ１００の近傍であるか否かに応じて制御する第２制御手段。
【００２６】
なお、上記（１）の第１制御手段は、具体的には、タブレット端末２００から通信リンク形成の要求を受けたとき、その要求元のタブレット端末２００が予め登録されたタブレット端末２００であることを条件に、その要求元のタブレット端末２００と当該コントローラ１００との間でＬＡＮ１０２およびアクセスポイントＡＰ１，ＡＰ２，…ＡＰ７を介した通信リンクを形成する。また、通信リンクの形成は、アクセスポイントＡＰ１，ＡＰ２，…ＡＰ７，ＡＰＸのいずれか１つを介して行う。この場合、タブレット端末２００の要求信号を受けたアクセスポイントは、その要求信号を自身のアドレス情報と共にコントローラ１００に送る。コントローラ１００は、複数のアクセスポイントから同じタブレット端末２００の要求信号を受けた場合、信号レベルが最も高い要求信号を中継した１つのアクセスポイントを介して通信リンク形成を形成する。そして、通信リンクの形成後、コントローラ１００は、アクセスポイントＡＰ１，ＡＰ２，…ＡＰ７，ＡＰＸのうち、タブレット端末２００からの受信信号レベルが最も高いアクセスポイントを通信リンク形成の中継器として逐次に選定する。この選定により、建物内のタブレット端末２００の移動にかかわらず、通信リンクの形成が維持される。
【００２７】
上記（２）の判定手段は、具体的には、通信リンクの形成が当該コントローラ１００と同じ７階フロア７０の管理室７１におけるアクセスポイントＡＰＸを介したものである場合、タブレット端末２００が当該コントローラ１００の近傍にあると判定する。通信リンクの形成がアクセスポイントＡＰ１，ＡＰ２，…ＡＰ７のいずれかを介したものである場合、タブレット端末２００は当該コントローラ１００の近傍にないと判定する。
【００２８】
上記（３）の第２制御手段は、具体的には、上記判定手段の判定結果が近傍である場合、全ての空調ユニットを対象とする管理用の表示画面をコントローラ１００およびタブレット端末２００で表示する第１表示制御手段と、上記判定手段の判定結果が近傍でない場合、全ての空調ユニットを対象とする管理用の表示画面をコントローラ１００で表示し、各空調ユニットのうちタブレット端末２００が存するフロアの空調ユニットを対象とする管理用の表示画面をタブレット端末２００で表示する第２表示制御手段と、を含む。また、第１表示制御手段は、判定結果が近傍である場合、コントローラ１００もしくはタブレット端末２００の操作に応じて全ての空調ユニットを対象とする管理用の表示画面のうち、階層が上位と下位の関係にある２つの表示画面を、コントローラ１００とタブレット端末２００とで分担して表示する。
【００２９】
一方、タブレット端末２００のＣＰＵ２１０は、空調管理に関わる主要な機能として次の（２１）（２２）の手段を有する。  
（２１）空調管理モードが設定された場合に、通信リンクの形成をコントローラ１００に対し要求する要求手段。
【００３０】
（２２）上記要求に応じた通信リンクが形成された場合に、コントローラ１００と連動して空調管理を実行する制御手段。
【００３１】
つぎに、コントローラ１００におけるＣＰＵ１１０の制御を図５のフローチャートを参照しながら説明する。  
ＣＰＵ１１０は、タブレット端末２００から通信リンク形成の要求を受けない場合（ステップ３０１のＮＯ）、コントローラ１００のみで各空調ユニットを管理する単独モード処理を実行する（ステップ３０２）。
【００３２】
ＣＰＵ１１０は、タブレット端末２００から通信リンク形成の要求を受けた場合（ステップ３０１のＹＥＳ）、その要求元のタブレット端末２００が予め登録されたタブレット端末２００であるか否かを判定する（ステップ３０３）。要求元のタブレット端末２００が予め登録されたタブレット端末２００でない場合（ステップ３０３のＮＯ）、ＣＰＵ１１０は、コントローラ１００のみで各空調ユニットを管理する単独モード処理を継続する（ステップ３０２）。
【００３３】
要求元のタブレット端末２００が予め登録されたタブレット端末２００である場合（ステップ３０３のＹＥＳ）、ＣＰＵ１１０は、要求元のタブレット端末２００との間で通信リンクを形成する（ステップ３０４）。続いて、ＣＰＵ１１０は、コントローラ１００とタブレット端末２００とで各空調ユニットを管理する連動モード処理を実行する（ステップ３０５）。その後、タブレット端末２００で所定の終了操作があった場合（ステップ３０６のＹＥＳ）、ＣＰＵ１１０は、連動モード処理を終了する（ステップ３０７）。
【００３４】
一方、タブレット端末２００におけるＣＰＵ２１０の制御を図６のフローチャートを参照しながら説明する。  
ＣＰＵ２１０は、カラー液晶表示部２１３のタッチ操作により空調管理モードが指定された場合（ステップ４０１のＹＥＳ）、専用のアプリケーションプログラムを起動する（ステップ４０２）。そして、ＣＰＵ２１０は、起動したアプリケーションプログラムに基づき、空調管理を開始するかキャンセルするかをユーザに指定させるための初期画面を表示する（ステップ４０３）。この初期画面は、ＯＫ釦およびキャンセル釦の表示を含む。
【００３５】
初期画面のキャンセル釦がタッチ操作された場合（ステップ４０４のＮＯ）、ＣＰＵ２１０は、起動中のアプリケーションプログラムをシャットダウンして空調管理モードの処理を終了する（ステップ４１１）。
【００３６】
初期画面のＯＫ釦がタッチ操作された場合（ステップ４０４のＹＥＳ）、ＣＰＵ２１０は、通信リンクの形成を無線通信により要求する（ステップ４０５）。この要求後、ＣＰＵ２１０は、実際に通信リンクが形成されたかどうかをコントローラ１００からの報知により監視する（ステップ４０６）。通信リンク形成の報知がない場合（ステップ４０６のＮＯ）、ＣＰＵ２１０は、タイムカウントｔを開始し（ステップ４０７）、そのタイムカウントｔと予め定められている設定時間ｔ１とを比較する（ステップ４０８）。通信リンク形成の報知がないままタイムカウントｔが設定時間ｔ１に達した場合（ステップ４０８のＹＥＳ）、ＣＰＵ２１０は、起動中のアプリケーションプログラムをシャットダウンして空調管理モードの処理を終了する（ステップ４１１）。
【００３７】
タイムカウントｔが設定時間ｔ１に達しないうちに通信リンク形成の報知を受けた場合（ステップ４０６のＹＥＳ）、ＣＰＵ２１０は、当該タブレット端末２００とコントローラ１００とで各空調ユニットを管理する連動モード処理を実行する（ステップ４０９）。その後、タブレット端末２００で所定の終了操作があった場合（ステップ４１０のＹＥＳ）、ＣＰＵ２１０は、連動モード処理を終了する（ステップ４１１）。
【００３８】
なお、連動モード処理には、通常操作モード処理、近接モード処理、遠方モード処理が含まれる。近接モード処理は、タブレット端末２００がコントローラ１００の近くに存する場合に自動的に設定される。遠方モード処理は、タブレット端末２００がコントローラ１００の近くに存しない場合に自動的に設定される。通常操作モード処理は、コントローラ１００およびタブレット端末２００のどちらかの操作に応じて、近接モード処理や遠方モード処理に優先して設定される。設定後の通常操作モード処理は、コントローラ１００またはタブレット端末２００の再操作によって解除可能である。
【００３９】
以下、コントローラ１００の表示およびタブレット端末２００の表示について説明する。  
［１］コントローラ１００の表示  
コントローラ１００は、図７に示す全体表示画面Ｑをカラー液晶表示部１１３で表示する。全体表示画面Ｑは、フロア配置表示部Ｑａ、運転状態表示部Ｘ１、設定画面指定部Ｘ２、スケジュール画面指定部Ｘ３、通常操作モード指定部Ｘ４、フロア表示指定部Ｘ５、テナント表示指定部Ｘ６、エリア表示指定部Ｘ７、ユニット表示指定部Ｘ８の表示を含む。
【００４０】
フロア配置表示部Ｑａは、管理対象である全フロアの概念的な配置パターンを表示する。運転状態表示部Ｘ１は、直前に操作した空調ユニットの状態またはデフォルトに設定された特定の１台の空調ユニットの状態を表示する。図７の例では、メインフロアである例えば７階フロア７０の管理室７１における空調ユニット７２の運転状態『設定温度・２５℃』『運転モード・暖房』『風量・自動』を表示するとともに、空調システムの現時点の使用電力量（パワー）を棒グラフ的にアナログ表示する。設定画面指定部Ｘ２は、運転状態設定画面の指定用である。スケジュール画面指定部Ｘ３は、スケジュール画面の指定用である。通常操作モード指定部Ｘ４は、通常操作モードの指定とその解除用の画像（アイコン）である。フロア表示指定部Ｘ５は、当該フロア表示画面Ｑの表示指定用である。テナント表示指定部Ｘ６は、後述するテナント表示画面Ｒの表示指定用である。エリア表示指定部Ｘ７は、後述するエリア表示画面Ｓの表示指定用である。ユニット表示指定部Ｘ８は、後述するユニット表示画面Ｔの表示指定用である。
【００４１】
（１）全体表示画面Ｑの操作に応じた表示  
（ａ）図７の全体表示画面Ｑおいて、フロア表示指定部Ｘ５がタッチ操作（タップともいう）され、続いてフロア内配置表示部Ｑａの例えば“１階フロア”パターンがタッチ操作された場合、コントローラ１００は、カラー液晶表示部１１３の表示を全体表示画面Ｑより階層が１ランク下位の図８に示すフロア表示画面Ｒに切換える。
【００４２】
フロア表示画面Ｒは、フロア内配置表示部Ｒａ、運転状態表示部Ｘ１、設定画面指定部Ｘ２、スケジュール画面指定部Ｘ３、通常操作モード選定部Ｘ４、フロア表示指定部Ｘ５、テナント表示指定部Ｘ６、エリア表示指定部Ｘ７、ユニット表示指定部Ｘ８の表示を含む。
【００４３】
フロア内配置表示部Ｒａは、“１階フロア”パターンのタッチ操作があったので、１階フロア１０内のテナント配置パターンを表示する。運転状態表示部Ｘ１は、１階フロアのデフォルトテナントである『テナント３０』内の特定の空調ユニットの運転状態『設定温度・２６℃』『運転モード・暖房』『風量・弱』を表示するとともに、空調システムの現時点の使用電力量をアナログ表示する。
【００４４】
（ｂ）全体表示画面Ｑにおいて、テナント表示指定部Ｘ６がタッチ操作された場合、コントローラ１００は、カラー液晶表示部１１３の表示を全体表示画面Ｑより階層が２ランク下位の図９に示すテナント表示画面Ｓに切換える。
【００４５】
テナント表示画面Ｓは、テナント内配置表示部Ｓａ、運転状態表示部Ｘ１、設定画面指定部Ｘ２、スケジュール画面指定部Ｘ３、通常操作モード指定部Ｘ４、フロア表示指定部Ｘ５、テナント表示指定部Ｘ６、エリア表示指定部Ｘ７、ユニット表示指定部Ｘ８の表示を含む。
【００４６】
この場合のテナント表示画面Ｓの表示は全体表示画面Ｑからの直接的な指定によるもので、前もってフロア指定およびテナント指定がなかったので、コントローラ１００は、テナント内配置表示部Ｓａにおいて、デフォルトフロアである『１階フロア１０』内のさらにデフォルトテナントである『テナント３０』内のエリア配置パターンを表示する。運転状態表示部Ｘ１は、テナント３０内の特定の空調ユニットの運転状態『設定温度・２４℃』『運転モード・暖房』『風量・弱』を表示するとともに、空調システムの現時点の使用電力量をアナログ表示する。
【００４７】
（ｃ）全体表示画面Ｑにおいて、エリア表示指定部Ｘ７がタッチ操作された場合、コントローラ１００は、カラー液晶表示部１１３の表示を全体表示画面Ｑより階層が３ランク下位の図１０に示すエリア表示画面Ｔに切換える。
【００４８】
エリア表示画面Ｔは、エリア内配置表示部Ｔａ、運転状態表示部Ｘ１、設定画面指定部Ｘ２、スケジュール画面指定部Ｘ３、通常操作モード指定部Ｘ４、フロア表示指定部Ｘ５、テナント表示指定部Ｘ６、エリア表示指定部Ｘ７、ユニット表示指定部Ｘ８の表示を含む。
【００４９】
このエリア表示画面Ｔの表示は全体表示画面Ｑからの直接的な指定によるもので、前もってフロア指定、テナント指定、エリア指定がなかったので、コントローラ１００は、エリア内配置表示部Ｔａにおいて、デフォルトフロアである『１階フロア１０』内のさらにデフォルトテナントである『テナント３０』内のさらにデフォルトエリアである『エリア３４』内の空調ユニット配置パターンを表示する。運転状態表示部Ｘ１は、エリア３４内の特定の空調ユニットの運転状態『設定温度・２５℃』『運転モード・暖房』『風量・自動』を表示するとともに、空調システムの現時点の使用電力量をアナログ表示する。
【００５０】
（ｄ）全体表示画面Ｑにおいて、ユニット表示指定部Ｘ８がタッチ操作された場合、コントローラ１００は、図１１に示す設定画面Ｕを全体表示画面Ｑ上にポップアップ表示する。設定画面Ｕは、運転設定部Ｕ１、運転モード設定部Ｕ２、温度設定部Ｕ３、風量設定部Ｕ４、ルーバ設定部Ｕ５、リモコン使用条件設定部Ｕ６、ＯＫ釦Ｕ７、キャンセル釦Ｕ８の表示を含む。
【００５１】
この設定画面Ｕは、全体表示画面Ｑからの直接的な指定によるもので、前もってフロア指定、テナント指定、エリア指定、ユニット指定がなかったので、デフォルトフロアである『１階フロア１０』内の、さらにデフォルトテナントである『テナント３０』内の、さらにデフォルトエリアである『エリア３４』内の、さらにデフォルト空調ユニットである『空調ユニット３４ａ』に対する運転条件設定用となる。ユーザは、この設定画面Ｕへのタッチ操作により、空調ユニット３４ａの運転条件を設定することができる。
【００５２】
（ｅ）全体表示画面Ｑにおいて、設定画面指定部Ｘ２がタッチ操作された場合、コントローラ１００は、図１１の設定画面Ｕを全体表示画面Ｑ上にポップアップ表示する。この場合の設定画面Ｕは、空調システムの全空調ユニットに対する運転条件設定用となる。ユーザは、この設定画面Ｕへのタッチ操作により、空調システムの全空調ユニットに対し、同じ運転条件を一括的に設定することができる。
【００５３】
（２）フロア表示画面Ｒの操作に応じた表示  
（ａ）図８のフロア表示画面Ｒには、１階フロアが表示されている。この状態において、フロア表示指定部Ｘ５がタッチ操作された場合、コントローラ１００は、カラー液晶表示部１１３の表示をフロア表示画面Ｒよりも階層が１ランク上位の図７の全体表示画面Ｑに戻す。
【００５４】
（ｂ）フロア表示画面Ｒにおいて、テナント表示指定部Ｘ６がタッチ操作され、続いてテナント内配置表示部Ｒａ内の例えば“テナント３０”パターンがタッチ操作された場合、コントローラ１００は、カラー液晶表示部１１３の表示をフロア表示画面Ｒよりも階層が１ランク下位で且つテナント３０用の図９のテナント表示画面Ｓに切換える。
【００５５】
（ｃ）フロア表示画面Ｒにおいて、エリア表示指定部Ｘ７がタッチ操作された場合、コントローラ１００は、カラー液晶表示部１１３の表示をフロア表示画面Ｒよりも階層が２ランク下位の図１０のエリア表示画面Ｔに切換える。
【００５６】
このエリア表示画面Ｔの表示に際しては、前もってテナント指定およびエリア指定がなされていないので、コントローラ１００は、エリア内配置表示部Ｔａにおいて、デフォルトエリアである『エリア３４』内の空調ユニット配置パターンを表示する。
【００５７】
（ｄ）フロア表示画面Ｒにおいて、ユニット表示指定部Ｘ８がタッチ操作された場合、コントローラ１００は、カラー液晶表示部１１３の表示を図１１の設定画面Ｕに切換える。
【００５８】
この設定画面Ｕの表示に際しては、前もってテナント指定、エリア指定、ユニット指定がなかったので、コントローラ１００は、デフォルト空調ユニットである『空調ユニット３４ａ』に対する運転条件設定用となる。ユーザは、この設定画面Ｕへのタッチ操作により、空調ユニット３４ａの運転条件を設定することができる。
【００５９】
（ｅ）フロア表示画面Ｒにおいて、設定画面指定部Ｘ２がタッチ操作された場合、コントローラ１００は、図１１の設定画面Ｕをフロア表示画面Ｒ上にポップアップ表示する。この場合の設定画面Ｕは、表示しているフロアに設置されている全空調ユニットに対する運転条件設定用となる。ユーザは、この設定画面Ｕへのタッチ操作により、フロアの全空調ユニットに対し、同じ運転条件を一括的に設定することができる。
【００６０】
（ｆ）フロア表示画面Ｒにおいて、スケジュール画面指定部Ｘ３がタッチ操作された場合、コントローラ１００は、図１２に示すスケジュール画面Ｖをフロア表示画面Ｒ上にポップアップ表示する。スケジュール画面Ｖは、全般スケジュール設定画面Ｖ１、週間スケジュール設定画面Ｖ２、特定日スケジュール設定画面Ｖ３、月間スケジュール設定画面Ｖ４を切換表示可能に含む。ユーザは、このスケジュール画面Ｖへのタッチ操作により、フロアに設置されている全空調ユニットに対し、同じ運転スケジュールを一括的に設定することができる。
【００６１】
（３）テナント表示画面Ｓの操作に応じた表示  
（ａ）図９のテナント表示画面Ｓでは、1階フロア中のテナント３０が表示されている。この表示状態において、フロア表示指定部Ｘ５がタッチ操作された場合、コントローラ１００は、カラー液晶表示部１１３の表示をテナント表示画面Ｓよりも階層が１ランク上位の図８のフロア表示画面Ｒに切換える。
【００６２】
（ｂ）テナント表示画面Ｓにおいて、テナント表示指定部Ｘ６がタッチ操作された場合、コントローラ１００は、カラー液晶表示部１１３の表示を同じテナント表示画面Ｓのままとする。
【００６３】
（ｃ）テナント表示画面Ｓにおいて、エリア表示指定部Ｘ７がタッチ操作され、続いて例えば“エリア３４”パターンがタッチ操作された場合、コントローラ１００は、カラー液晶表示部１１３の表示をテナント表示画面Ｓよりも階層が１ランク下位のエリア３４用の図１０のエリア表示画面Ｔに切換える。
【００６４】
（ｄ）テナント表示画面Ｓにおいて、ユニット表示指定部Ｘ８がタッチ操作された場合、コントローラ１００は、カラー液晶表示部１１３の表示を図１１の設定画面Ｕに切換える。
【００６５】
この設定画面Ｕの表示に際しては、前もってエリア指定およびユニット指定がなかったので、コントローラ１００は、デフォルト空調ユニットである『空調ユニット３４ａ』に対する運転条件設定用となる。ユーザは、この設定画面Ｕへのタッチ操作により、空調ユニット３４ａの運転条件を設定することができる。
【００６６】
（ｅ）テナント表示画面Ｓにおいて、設定画面指定部Ｘ２がタッチ操作された場合、コントローラ１００は、図１１の設定画面Ｕをテナント表示画面Ｓ上にポップアップ表示する。この場合の設定画面Ｕは、表示中のテナント３０内の全エリアの空調ユニットに対する運転条件設定用となる。ユーザは、この設定画面Ｕへのタッチ操作により、表示中のテナント３０の全エリア３１〜３４の空調ユニットに対し、同じ運転条件を一括的に設定することができる。
【００６７】
（ｆ）テナント表示画面Ｓにおいて、スケジュール画面指定部Ｘ３がタッチ操作された場合、コントローラ１００は、図１２のスケジュール画面Ｖをテナント表示画面Ｓ上にポップアップ表示する。ユーザは、このスケジュール画面Ｖへのタッチ操作により、表示部Ｓａで表示中のテナント３０内の全エリア３１〜３４の空調ユニットに対し、同じ運転スケジュールを一括的に設定することができる。
【００６８】
（４）エリア表示画面Ｔの操作に応じた表示  
（ａ）図１０のエリア表示画面Ｔには、テナント３０内の特定エリアであるエリア３４が表示されている。この状態において、フロア表示指定部Ｘ５がタッチ操作された場合、コントローラ１００は、カラー液晶表示部１１３の表示をエリア表示画面Ｔよりも階層が２ランク上位の図８のフロア表示画面Ｒに切換える。
【００６９】
（ｂ）エリア表示画面Ｔにおいて、テナント表示指定部Ｘ６がタッチ操作され、コントローラ１００は、カラー液晶表示部１１３の表示をエリア表示画面Ｔよりも階層が１ランク上位の図９のテナント表示画面Ｓに切換える。
【００７０】
（ｃ）エリア表示画面Ｔにおいて、エリア表示指定部Ｘ７がタッチ操作された場合、コントローラ１００は、カラー液晶表示部１１３の表示を同じエリア表示画面Ｔのままとする。
【００７１】
（ｄ）エリア表示画面Ｔにおいて、ユニット表示指定部Ｘ８がタッチ操作され、続いてエリア内配置表示部Ｔａ内の例えば“ユニット３４ａ”パターンがタッチ操作され、この後で設定画面指定部Ｘ２がタッチ操作された場合、コントローラ１００は、カラー液晶表示部１１３の表示を空調ユニット３４ａ用の図１１の設定画面Ｕに切換える。ユーザは、この設定画面Ｕへのタッチ操作により、空調ユニット３４ａの運転条件を設定することができる。
【００７２】
（ｅ）エリア表示画面Ｔにおいて、ユニット表示指定部Ｘ８がタッチ操作され、続いてエリア内配置表示部Ｔａ内の例えば“ユニット３４ａ”パターンがタッチ操作され、この後でスケジュール画面指定部Ｘ３がタッチ操作された場合、コントローラ１００は、空調ユニット３４ａ用の図１２のスケジュール画面Ｖをテナント表示画面Ｓ上にポップアップ表示する。ユーザは、このスケジュール画面Ｖへのタッチ操作により、空調ユニット３４ａの運転スケジュールを設定することができる。
【００７３】
（ｆ）エリア表示画面Ｔにおいて、設定画面指定部Ｘ２がタッチ操作された場合、コントローラ１００は、図１１の設定画面Ｕをエリア表示画面Ｔ上にポップアップ表示する。この場合の設定画面Ｕは、表示中のエリア３４内の空調ユニット３４ａ〜３４ｄに対する運転条件設定用となる。ユーザは、この設定画面Ｕへのタッチ操作により、エリア３４の全空調ユニット３４ａ〜３４ｄに対し、同じ運転条件を一括的に設定することができる。
【００７４】
（ｇ）エリア表示画面Ｔにおいて、設定画面指定部Ｘ２がタッチ操作された場合、コントローラ１００は、図１２のスケジュール画面Ｖをエリア表示画面Ｓ上にポップアップ表示する。ユーザは、このスケジュール画面Ｖへのタッチ操作により、表示部Ｔａで表示中のエリア３４内の全空調ユニット３４ａ〜３４ｄに対し、同じ運転スケジュールを一括的に設定することができる。
【００７５】
（５）要点  
要するに、表示中の階層より下位の階層の内容が指定されないまま、下位の階層の表示が指定された場合には、指定された下位の階層におけるデフォルトの表示に移る。デフォルト表示は、表示する階層のもっとも若い数のものである。
【００７６】
設定画面指定部Ｘ２による運転条件の設定、およびスケジュール画面指定部Ｘ３による運転スケジュールの設定については、表示中の階層またはそれより下位の階層に存する空調ユニットが設定の対象となる。
【００７７】
設定画面Ｕおよびスケジュール画面Ｖのポップアップ表示は、画面中のＯＫ釦またはキャンセル釦がタッチ操作されるまで維持され、ＯＫ釦またはキャンセル釦のタッチ操作に応じて解除される。
【００７８】
［２］タブレット端末２００の表示  
連動モード処理には、通常操作モード処理、近接モード処理、遠方モード処理が含まれる。近接モード処理は、タブレット端末２００がコントローラ１００の近くに存する場合に自動的に設定される。遠方モード処理は、タブレット端末２００がコントローラ１００の近くに存しない場合に自動的に設定される。通常操作モード処理は、コントローラ１００およびタブレット端末２００のどちらかの表示画面における通常操作モード指定部Ｘ４のタッチ操作に応じて、近接モード処理や遠方モード処理に優先して設定される。設定後の通常操作モード処理は、コントローラ１００またはタブレット端末２００の表示画面における通常操作モード指定部Ｘ４の再度のタッチ操作によって解除可能である。
【００７９】
（１）通常操作モード処理  
通常操作モード処理の設定時、タブレット端末２００は、上記［１］で説明したコントローラ１００の表示と同一の表示をコントローラ１００と連動することなく独自に行いながら、その表示画面へのタッチ操作に応じた運転条件設定および運転スケジュール設定をコントローラ１００を介して行う。
【００８０】
（２）近接モード処理  
上述の通常操作モードが設定されていない状態で、タブレット端末２００が、７階フロア７０における管理室７１内のアクセスポイントＡＰＸを介して通信リンクを形成している場合、タブレット端末２００及びコントローラ１００は、連動モード処理として近接モード処理を設定する。近接モード処理の設定時、タブレット端末２００は、上記［１］で説明したコントローラ１００の表示と関連した表示をコントローラ１００と連動して行いながら、その表示画面へのタッチ操作に応じた運転条件設定および運転スケジュール設定をコントローラ１００を介して行う。
【００８１】
特に、タブレット端末２００は、階層が上位と下位の関係にある２つの表示画面をコントローラ１００と分担して表示する。すなわち、タブレット端末２００は、コントローラ１００で表示される画面よりも階層が１ランクもしくは数ランク下位の画面を、コントローラ１００の表示画面の変化に合せて逐次に切換表示する。逆に、コントローラ１００は、タブレット端末２００で表示される画面よりも階層が１ランクもしくは数ランク上位の画面を、タブレット端末２００の表示画面の変化に合せて逐次に切換表示する。ただし、最上位の画面については、タブレット端末２００とコントローラ１００の画面は同じ表示になる場合がある。
【００８２】
表示画面の階層は、上から全体表示画面Ｑ、フロア表示画面Ｒ、テナント表示画面Ｓ、エリア表示画面Ｔ、設定画面Ｕ、スケジュール画面Ｖの順である。
【００８３】
例えば、タブレット端末２００の表示がフロア表示画面Ｒのとき、コントローラ１００の表示はそれより１ランク上位の全体表示画面Ｑとなる。タブレット端末２００の表示が全体表示画面Ｑのとき、それ以上の階層は存在しないので、コントローラ１００の表示は同じ全体表示画面Ｑとなる。タブレット端末２００の表示がテナント表示画面Ｓのとき、コントローラ１００の表示はそれより１ランク上位のフロア表示画面Ｒとなる。タブレット端末２００の表示がエリア表示画面Ｔのとき、コントローラ１００の表示はそれより１ランク上位のテナント表示画面Ｓとなる。
【００８４】
このように、階層が上位と下位の関係にある２つの表示画面をコントローラ１００とタブレット端末２００とで逐次に分担して表示することにより、コントローラ１００の近傍に立ってコントローラ１００の表示とタブレット端末２００の表示の両方を見ることができるユーザは、２つの表示画面をあたかも１つの大きな操作画面として扱うことができる。たとえば、管理室７１内で操作を実施するユーザが、タブレット端末２００で図１０のエリアを表示させている状況ではコントローラ１００には、自身の操作しているタブレット端末２００の画面の上位の画面である図９のテナントが表示されるため、ユーザは、コントローラ１００の画面でそのエリアのテナント内の位置を確認することができる。このように、コントローラ１００及びタブレット端末２００の画面の大きさには限度があるため、場合によってはどの場所の空調ユニットを操作しているのか、分からなくなるという問題に対して、２つの表示画面を用いて操作対象の位置を特定しやすくしてあるため、操作状態や操作対象の確認が容易になる。また、コントローラ１００が全体表示画面Ｑにおいて、コントローラ１００の設定画面指定部Ｘ２がタッチ操作された場合、コントローラ１００の全体表示画面Ｑはそのままにしておき、タブレット端末２００に図１１の設定画面Ｕを表示させる。この場合の設定画面Ｕは、空調システムの全空調ユニットに対する運転条件設定用となるため、全体表示画面Ｑの対象である全空調ユニットに対する運転条件の一括設定を実行していることが一目で分かるようになる。このように近接モードにおいて、複数台の空調ユニットを一括して設定する設定画面Ｕやスケジュール画面Ｖを表示する状態では、他方のコントローラ１００又はタブレット端末２００において、その設定対象となる空調ユニットのすべてが含まれる上位階層の表示を行わせる。
【００８５】
したがって、空調ユニットの設置台数が多くても、各空調ユニットに対する管理が運転状態の設定および監視を含めて容易かつ迅速となる。コントローラ１００と通信リンクを形成して連動モード処理を実行できるのは予め登録されたタブレット端末２００だけなので、特定のユーザやサービス員を除く第三者による不正な空調管理を防ぐことができる。よって、空調管理の高いセキュリティ性と高い信頼性を確保できる。
【００８６】
タブレット端末２００としては、当該空調管理装置の付属品として用意される空調管理専用の端末を用いることも可能であるし、ユーザが個人で所有して日常の生活で使用している汎用型の端末を用いることも可能である。ユーザが個人で所有する汎用型の端末は、いわゆるスマートフォンをはじめとして、電話やパソコンとして多くの人々に普及しているので、ユーザにとって非常に扱い易く、メーカ側や販売店側にとっては当該空調管理装置の付属品として用意する必要がないのでコスト低減となる。この場合、専用のアプリケーションプログラムをメーカや販売店のＷｅｂサイトからユーザが自身の端末に自身でダウンロードする運用が考えられる。
【００８７】
なお、近接モード処理において、全体表示画面Ｑや他のフロアのフロア表示画面Ｒなどをタブレット端末２００で表示させたい場合、ユーザは、タブレット端末２００の表示画面における通常操作モード指定部Ｘ４にタッチ操作して通常操作モード処理を設定すればよい。この設定により、コントローラ１００の動作とは無関係に、また通信リンク形成を中継しているアクセスポイントの位置にかかわらず、ユーザが望む表示画面をタブレット端末２００で即時に表示し操作することができる。また、通常操作モードの状態からタブレット端末２００またはコントローラ１００の通常操作モード指定部Ｘ４にタッチ操作すれば、タブレット端末２００の表示は、その位置に応じて近接モードまたは遠方モードに切り替わる。
【００８８】
（３）遠方モード処理  
通常操作モードが設定されていない状態で、タブレット端末２００にアクセスポイントＡＰ１，ＡＰ２，…ＡＰ７を介して通信リンクが形成されている場合、タブレット端末２００には連動モード処理として遠方モード処理が設定される。遠方モード処理の設定時、タブレット端末２００は、通信リンク形成を中継するアクセスポイントの位置に応じた独自の表示をコントローラ１００の表示と連動することなく行いながら、その表示画面へのタッチ操作に応じた運転条件設定および運転スケジュール設定をコントローラ１００を介して行う。アクセスポイントの位置に応じた表示の例として、図４に示す位置情報テーブル１１２ａの情報が用いられる。タブレット端末２００の通信リンクを中継するアクセスポイントＡＰ１〜ＡＰ７に対応して位置情報が記憶されているため、タブレット端末２００の移動、すなわちアクセスポイントの切り替え、に応じて対応する位置情報における表示が自動的に行われる。
【００８９】
例えば、タブレット端末２００を持つユーザが１階フロア１０にいて、タブレット端末２００とコントローラ１００との通信リンクが１階フロア４０のアクセスポイントＡＰ１を介して形成されている場合、タブレット端末２００は、１階フロア１０用のフロア表示画面Ｒをコントローラ１００の表示と関わりなく表示する。そして、タブレット端末２００は、これら表示画面へのタッチ操作に応じて、１階フロア１０のテナント、エリア、個別の空調ユニットに対する運転条件設定および運転スケジュール設定をコントローラ１００を介して行う。
【００９０】
同様に、タブレット端末２００を持つユーザが７階フロア７０における管理室７１の外にいて、タブレット端末２００とコントローラ１００との通信リンクが７階フロア７０のアクセスポイントＡＰ７を介して形成されている場合、タブレット端末２００は、７階フロア７０用のフロア表示画面Ｒをコントローラ１００の表示と連動することなく表示する。そして、タブレット端末２００は、これら表示画面へのタッチ操作に応じて、７階フロア７０の空調ユニットに対する運転条件設定および運転スケジュール設定をコントローラ１００を介して行う。
【００９１】
ユーザである管理者や点検者がタブレット端末２００を持って各フロア間を移動した場合には、通信リンク形成を中継するアクセスポイントが変わるのに伴い、タブレット端末２００の表示内容が移動先のフロアに対応する表示画面となる。
【００９２】
例えば、管理室７１にいたユーザがタブレット端末２００と共に１階フロア１０に移動した場合、通信リンク形成の中継がアクセスポイントＡＰＸからアクセスポイントＡＰ１に変更となる。タブレット端末２００の表示は、管理室７１に対応する表示画面から１階フロア１０に対応する表示画面に切換わる。
【００９３】
ユーザの移動に伴って表示画面が切換わるので、ユーザは、自身がどのフロアにいるのかを一目で認識できる。居場所のフロアに対応する表示画面が自動的に現われるので、移動ごとに特別の操作を要することなく、各空調ユニットに対する運転条件および運転スケジュールを容易かつ迅速に設定することができる。
【００９４】
なお、遠方モード処理において、全体表示画面Ｑや他のフロアのフロア表示画面Ｒなどをタブレット端末２００で表示させたい場合、ユーザは、タブレット端末２００の表示画面における通常操作モード指定部Ｘ４にタッチ操作して通常操作モード処理を設定すればよい。この設定により、通信リンク形成を中継しているアクセスポイントの位置にかかわらず、ユーザが望む表示画面をタブレット端末２００で即時に表示し操作することができる。
【００９５】
［３］変形例  
上記実施形態では、アクセスポイントをフロア毎および管理室７１に配置したが、アクセスポイントをテナント毎および管理室７１に配置する構成としてもよい。この場合、ユーザが各テナント間を移動するのに伴い、タブレット端末２００の表示が各テナントに対応する表示画面に逐次に切換わる。また、管理人室７１内に別個のアクセスポイントＡＰＸを設けたが、コントローラ１００そのものにアクセスポイントの機能を組み込み、管理人室７１内のアクセスポイントＡＰＸをなくしてもよい。
【００９６】
上記実施形態では、近接モード処理において、階層が上位の表示画面をコントローラ１００で表示し、階層が下位の表示画面をタブレット端末２００で表示する構成としたが、階層が上位の表示画面をタブレット端末２００で表示し、階層が下位の表示画面をコントローラ１００で表示する構成としてもよい。好ましくは、一般的には階層が下位となる表示画面の方が詳細な内容を含む傾向があるので（設定画面Ｕやスケジュール画面Ｖなど）、コントローラ１００およびタブレット端末２００のうち、画面サイズが大きいカラー液晶表示部を持つ方を下位側とすることが望ましい。
【００９７】
上記実施形態では、近接モード処理および遠方モード処理を自動的に設定し、通常操作モード処理をタッチ操作に応じて設定する構成としたが、通常操作モード処理を自動的に設定し、近接モード処理および遠方モード処理をそれぞれタッチ操作に応じて設定する構成としてもよい。例えば、各表示画面内の通常操作モード指定部Ｘ４を近接／遠方モード指定部Ｘ４に変更し、近接／遠方モード指定部Ｘ４がタッチ操作された場合は近接モード処理またな遠方モード処理を通常操作モード処理に優先して設定する構成としてもよい。
【００９８】
上記実施形態では、タブレット端末２００が専用のアプリケーションプログラムを搭載している場合を例に説明したが、タブレット端末２００の情報の全てをコントローラ１００に送信し、これらの情報をコントローラ１００側で処理し、タブレット端末２００はコントローラ１００から送信されてくる画像情報をそのまま表示する構成としてもよい。この場合、コントローラ端末１００は、タブレット端末２００が接続されているアクセスポイントＡＰ１〜ＡＰＸを検出し、タブレット端末２００が表示すべき画面及び画面上の操作機能を生成して、通信によってタブレット端末２００に送信する。タブレット端末２００は、コントローラ１００から送信されてきた画面を表示することになる。これは、コントローラ１００がマスターとして機能し、タブレット端末２００がスレーブとして機能する構成である。この方式を採用することで、タブレット端末２００には、専用のプログラムを組み込みことなく、元々、タブレット端末２００が保有するブラウザ等の画面表示機能と操作検出機能、通信機能を使用して、上述の動作を実行させることができる。
【００９９】
上記実施形態では、７階建ての建物に設置された空調システムに対する適用例について述べたが、複数の空調ユニットを有する空調システムであれば、どのような空調システムにも適用可能である。また、携帯型の情報端末としてタブレット端末を例に説明したが、タブレット端末に限らず、種々の端末の利用が可能である。
【０１００】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０１】
１０…１階フロア、２０，３０…テナント、２１，２２，３１，３２…エリア、４０…２階フロア、５０，６０…テナント、５１，５２，６１，６２…エリア、７０…７階フロア、８０，９０…テナント、８１，８２，９１，９２…エリア、１００…コントローラ、１１０…ＣＰＵ、１１３…カラー液晶表示部、１０１…通信線、１０２…無線ＬＡＮ、ＡＰ１，ＡＰ２，…ＡＰ７，ＡＰＸ……アクセスポイント、２００…タブレット端末、２１０…ＣＰＵ、２１３…カラー液晶表示部
【図１】
2015064154.tif 000003
【図２】
2015064154.tif 000004
【図３】
2015064154.tif 000005
【図４】
2015064154.tif 000006
【図５】
2015064154.tif 000007
【図６】
2015064154.tif 000008
【図７】
2015064154.tif 000009
【図８】
2015064154.tif 000010
【図９】
2015064154.tif 000011
【図１０】
2015064154.tif 000012
【図１１】
2015064154.tif 000013
【図１２】
2015064154.tif 000014